(57)【要約】【課題】基体内に発光体を収容してなる照明器具を、簡単な操作で取付器具に対して着脱可能とする。【解決手段】取付器具５に、照明器具１の一側面１２を第一受面５２ａで受承する第一受け部材５２と、照明器具１の他側面１３を第二受面５３ａで受承する第二受け部材５３とを設ける。さらに取付器具５に、第一受け部材５２を、第一受面５２ａと第二受面５３ａとの間の距離が変わる方向に移動自在に保持する受け部材保持機構５７と、そこに保持された第一受け部材５２を、上記距離が短くなる方向に付勢する付勢手段５８と、第二受け部材５３を、取り付けられた状態にある照明器具１の底面１１と略平行で、かつ上記移動の方向に略直交する軸の周りに回動可能に軸支する受け部材軸支機構５９とを設ける。【選択図】図１
2015005419.tif 000002
【特許請求の範囲】
【請求項１】
底面、この底面から立ち上がった一側面、および前記底面から立ち上がって前記一側面と反対側を向く他側面を有する基体と、
この基体に配設された発光体とを備えてなる照明器具を、前記底面の側から取付器具に取り付ける構造であって、
前記取付器具において、
前記一側面および他側面の一方を第一受面で受承する第一受け部材と、
前記第一受面と向かい合う位置に配されて、前記一側面および他側面の他方を第二受面で受承する第二受け部材と、
前記第一受け部材を、その前記第一受面と前記第二受面との間の距離が変わる方向に移動自在に保持する受け部材保持機構と、
この受け部材保持機構に保持された前記第一受け部材を、前記距離が短くなる方向に付勢する付勢手段と、
前記第二受け部材を、取り付けられた状態にある前記照明器具の前記底面と略平行で、かつ前記移動の方向に略直交する軸の周りに回動可能に軸支する受け部材軸支機構と、
が設けられてなる照明器具の取付構造。
【請求項２】
前記基体の一側面および他側面がそれぞれ、側面厚さ方向の略中央が最外方に有る凸形湾曲面とされ、
前記第一受面が前記一側面および他側面の一方に倣った形状の凹形湾曲面とされ、
前記第二受面が前記一側面および他側面の他方に倣った形状の凹形湾曲面とされていることを特徴とする請求項１記載の照明器具の取付構造。
【請求項３】
前記第二受け部材に、該第二受け部材を前記軸の周りに回動させるための操作部が設けられていることを特徴とする請求項１または２記載の照明器具の取付構造。
【請求項４】
前記取付器具の、照明器具の底面と接する面に、照明器具の発光体を点灯させる駆動電流および／または該点灯を制御する信号電流を給電する給電端子が設けられ、
前記照明器具の底面に、該照明器具が取付器具に取り付けられたとき前記給電端子と電気的に接続する受電端子が設けられていることを特徴とする請求項１から３いずれか１項記載の照明器具の取付構造。
【発明の詳細な説明】
【技術分野】
【０００１】
本発明は、照明器具を取付器具に取り付ける構造に関するものである。
【背景技術】
【０００２】
従来、例えば有機ＥＬ（エレクトロルミネッセンス）パネル等の発光体を薄型の筐体内に収めてなる照明器具が広く実用に供されている。その種の薄型の照明器具は、例えば特許文献１に示されているように、建物の壁面や天井面等に１次元あるいは２次元方向に並べてマトリクス状に配設し、発光面積が極めて大きい面状光源や、あるいは表示装置を構成するように用いられることもある。
【先行技術文献】
【特許文献】
【０００３】
【特許文献１】特開2009-218149号公報
【発明の概要】
【発明が解決しようとする課題】
【０００４】
ところで多くの照明器具は、建物の壁面や天井面等に取り付けるに当たっては、壁面等に固定された取付器具に取り外し可能に取り付けられるのが一般的であり、上記薄型の照明器具に対してもそのような取付構造が適用されることが多い。このような取付構造を薄型の照明器具に適用する場合、特に複数の照明器具がマトリクス状に配設される場合は、各照明器具を基本的にその前面（光が取り出される面）側から押し込んだり、引いたりする操作だけで簡単に着脱自在にすることが望まれる。すなわち、複数の照明器具がマトリクス状に密に配設されていると、ある一つの照明器具を取り付けたり、あるいは取り外したりする際、それに隣接して別の照明器具が横に存在するため、照明器具を横方向に大きく動かすような操作は困難になるからである。
【０００５】
以上、特に薄型の照明器具がマトリクス状に配置される場合のことについて説明したが、それに限らず、底面を有する筐体内に発光体を収容してなる照明器具を底面側から取付器具に取り外し自在に取り付ける場合は、照明器具を簡単な操作、つまり基本的に前面側から押し込んだり、引いたりする操作だけで簡単に着脱自在となっていれば、照明器具の取り付け作業や取り外し作業が極めて容易なものとなる。
【０００６】
そこで本発明は、底面を有する筐体内に発光体を収容してなる照明器具を、簡単な操作で取付器具に対して着脱することを可能にする、照明器具の取付構造を提供することを目的とする。
【課題を解決するための手段】
【０００７】
本発明による照明器具の取付構造は、
底面、この底面から立ち上がった一側面、および前記底面から立ち上がって前記一側面と反対側を向く他側面を有する基体と、
この基体に配設された発光体とを備えてなる照明器具を、前記底面の側から取付器具に取り付ける構造であって、
取付器具において、
前記一側面および他側面の一方を第一受面で受承する第一受け部材と、
前記第一受面と向かい合う位置に配されて、前記一側面および他側面の他方を第二受面で受承する第二受け部材と、
前記第一受け部材を、その前記第一受面と前記第二受面との間の距離が変わる方向に移動自在に保持する受け部材保持機構と、
この受け部材保持機構に保持された前記第一受け部材を、前記距離が短くなる方向に付勢する付勢手段と、
前記第二受け部材を、取り付けられた状態にある前記照明器具の前記底面と略平行で、かつ前記移動の方向に略直交する軸の周りに回動可能に軸支する受け部材軸支機構と、
が設けられてなることを特徴とするものである。
【０００８】
なお、上記構成を有する本発明による照明器具の取付構造においては、
基体の一側面および他側面がそれぞれ、側面厚さ方向の略中央が最外方に有る凸形湾曲面とされ、
第一受面が前記一側面および他側面の一方に倣った形状の凹形湾曲面とされ、
第二受面が前記一側面および他側面の他方に倣った形状の凹形湾曲面とされていることが望ましい。
【０００９】
また、上記第二受け部材には、該第二受け部材を前記軸の周りに回動させるための操作部が設けられていることが望ましい。
【００１０】
また、本発明による照明器具の取付構造においては、
取付器具の、照明器具の底面と接する面に、照明器具の発光体を点灯させる駆動電流および／または該点灯を制御する信号電流を給電する給電端子が設けられ、
照明器具の底面に、該照明器具が取付器具に取り付けられたとき前記給電端子と電気的に接続する受電端子が設けられていることが望ましい。
【発明の効果】
【００１１】
本発明による照明器具の取付構造は、
底面、この底面から立ち上がった一側面、および前記底面から立ち上がって前記一側面と反対側を向く他側面を有する基体と、
この基体に配設された発光体とを備えてなる照明器具を、前記底面の側から取付器具に取り付ける構造であって、
取付器具において、
前記一側面および他側面の一方を第一受面で受承する第一受け部材と、
前記第一受面と向かい合う位置に配されて、前記一側面および他側面の他方を第二受面で受承する第二受け部材と、
前記第一受け部材を、その前記第一受面と前記第二受面との間の距離が変わる方向に移動自在に保持する受け部材保持機構と、
この受け部材保持機構に保持された前記第一受け部材を、前記距離が短くなる方向に付勢する付勢手段と、
前記第二受け部材を、取り付けられた状態にある前記照明器具の前記底面と略平行で、かつ前記移動の方向に略直交する軸の周りに回動可能に軸支する受け部材軸支機構と、
が設けられてなるものであるので、この取付構造によれば、以下の通りにして、照明器具を簡単な操作で取付器具に対して着脱可能となる。
【００１２】
すなわち、照明器具を取り付ける際には照明器具を、その筐体の一方の側面（前記一側面および他側面の一方）が第一受面に当接するようにして第一受け部材側に押し込む。すると、第一受け部材が付勢手段の付勢力に抗しながら後退する、つまり第二受け部材から離れる方向に移動するので、筐体の他方の側面（前記一側面および他側面の他方）が第二受け部材の第二受面と向かい合う位置まで照明器具を動かし、その状態になったところで照明器具を第一受け部材側に押し込むのを止めれば、付勢手段の付勢力により第一受け部材が照明器具を第二受け部材側に押すので、それら両受け部材の間に照明器具が弾力的に保持されるようになる。
【００１３】
照明器具を取り外す際には第二受け部材を、その第二受け面が第一受面を向いている状態から、第一受面から外れた方向を向くように回動させれば、両受け部材の間に照明器具を弾力的に保持している状態が解除され、照明器具を簡単に取り外すことができる。
【００１４】
なお、前述したように第二受け部材を前記軸の周りに回動させるための操作部が設けられている場合は、上記第二受け部材を回動させる操作がより容易になされ得る。しかし、このような操作部が特に設けられていなくても、例えば両受け部材の間に弾力的に保持されている照明器具を把持して持ち上げる等の操作によって第二受け部材を回動させることができる。
【図面の簡単な説明】
【００１５】
【図１】本発明の一実施形態による照明器具の取付構造を示す一部破断側面図
【図２】図１に示した照明器具の平面図
【図３】上記照明器具の側面図
【図４】上記照明器具の底面図
【図５】図１に示した取付器具の平面図
【図６】上記取付器具の一部破断側面図
【図７】上記取付器具を示す斜視図
【図８】本発明の別の実施形態による照明器具の取付構造を示す一部破断側面図
【図９】本発明のさらに別の実施形態による照明器具の取付構造を示す一部破断側面図
【発明を実施するための形態】
【００１６】
以下、図面を参照して本発明の実施形態を詳細に説明する。図１は、本発明の一実施形態による照明器具の取付構造を示す側面図である。この取付構造は、一例として概略薄い直方体状の外形形状を有する照明器具１を横にした状態、つまり光を取り出す前面１６が上を向いた状態で取付器具５に取り付けるためのものである。
【００１７】
まず図２〜４を参照して、照明器具１について説明する。図２および図３はそれぞれ、照明器具１の平面形状および側面形状を示しており、また図４は照明器具１の底面の形状を示している。この照明器具１は基本的に、概略薄い直方体状に形成された筐体１０内に、例えば有機ＥＬ（エレクトロルミネッセンス）パネル等の発光体２０を収容して構成されている。発光体２０が配設される基体としての筐体１０は例えば透明あるいは白色の合成樹脂から形成され、底面１１と、この底面１１から立ち上がった一側面１２と、同じく底面１１から立ち上がって一側面１２と反対側を向く他側面１３とを有している。これらの一側面１２および他側面１３は共に、側面厚さ方向（図３中の上下方向）の中央が最外方に有る凸形湾曲面とされており、互いに平行で直線方向（矢印Ａ方向）に細長く延びる状態に形成されている。これらの一側面１２および他側面１３は、照明器具１が取付器具５に取り付けられた状態では各々左側面と右側面となる。そしてこれらの一側面１２と他側面１３の各端部の間を延びる、互いに平行な上側面１４および下側面１５が形成され、それら４つの側面１２〜１５の上に前面１６が形成されている。発光体２０からの光は、この前面１６から発せられる。
【００１８】
図４は筐体１０の底面１１を示すものである。この底面１１には、他側面１３の近傍位置において、概略Ｔ字状とされて底面１１から若干低くなった凹部４１が形成され、その下方には、縦長の長方形状とされて底面１１から若干低くなった凹部４３が形成されている。またこの底面１１には、一側面１２の近傍位置において、概略Ｔ字状とされて底面１１から若干低くなった凹部４２が形成され、その下方には、縦長の長方形状とされて底面１１から若干低くなった凹部４４が形成されている。
【００１９】
またこの底面１１には、発光体１５を点灯させる駆動電流を取付器具５側から受電するための受電端子１７および１９と、発光体１５の点灯を制御する信号電流を取付器具５側から受電するための受電端子１８および２０が設けられている。さらにこの底面１１には、四隅のそれぞれに近い位置において４つの丸穴３７が設けられ、各丸穴３７の中には、コイルバネ３８が固定されている。これらのコイルバネ３８による作用については後述する。
【００２０】
次に図５〜７を参照して、取付器具５について説明する。図５および図６はそれぞれ、取付器具５の平面形状および一部破断側面形状を示しており、図７は取付器具５の斜視形状を示している。なお図７においては、底面５１の上に形成された要素を省略して示している。
【００２１】
取付器具５は例えば合成樹脂から形成され、照明器具１を取り付けるための取付部５０を有している。この取付部５０は、底面５１の上方の空間が、第一受け部材５２、第二受け部材５３、上側板５４および下側板５５により四方から閉じられて画成されたものである。また取付器具５は、凹部５７ａが形成された受け部材保持部５７を有している。
【００２２】
上記第一受け部材５２は、概略四角柱の一面が凹形湾曲面とされた形状のもので、矢印Ａ方向に延びる状態に配設されている。上記凹形湾曲面は、後述するように照明器具１の一側面１２を受承する第一受面５２ａとされたもので、この一側面１２に倣った形状とされている。第一受け部材５２は、その後端面（第一受面５２ａと反対側の端面）側から上記凹部５７ａ内にほぼ緊密に収容されて、第二受け部材５３との距離が変わる方向、つまり図５および図６中の左右方向に移動自在に保持されている。そしてこの第一受け部材５２は、凹部５７ａ内に保持された例えば２つのコイルバネ５８により、上記距離が短くなる方向つまり図５および図６中の右方向に付勢されている。
【００２３】
上記第二受け部材５３も、概略四角柱の一面が凹形湾曲面とされた形状のもので、矢印Ａ方向に延びる状態に配設されている。上記凹形湾曲面は、後述するように照明器具１の他側面１３を受承する第二受面５３ａとされたもので、他側面１３に倣った形状とされている。この第二受け部材５３は、それぞれ上側板５４、下側板５５に固定された回動軸５９の周りに回動可能に保持されている。回動軸５９は受け部材軸支機構を構成するものであり、第二受け部材５３が延びる方向つまり矢印Ａ方向に平行に配されている。なおこの矢印Ａ方向は、より詳しく説明すれば、照明器具１が取付器具５に取り付けられた状態にあるとき該照明器具１の底面１１と平行で、かつ、第一受け部材５２の移動方向に直交する方向である。また第二受け部材５３には、回動軸５９よりも後方つまり第二受面５３ａと反対側において、後方に張り出した操作部５３ｂが形成されている。
【００２４】
取付部５０は、照明器具１の筐体１０をほぼ緊密に収容する形状とされている。すなわち、この取付部５０に対して後述するようにして照明器具１が収められると、図２および図３に示した筐体１０の一側面１２および他側面１３はそれぞれ上記第一受面５２ａおよび第二受面５３ａと接し、筐体１０の上側面１４および下側面１５はそれぞれ上側板５４および下側板５５と微小間隔を置いて向き合う状態となる。またこのとき、筐体１０の底面１１は、取付器具５の第一受け部材５２と第二受け部材５３との間に形成された底面５１と接するようになる。
【００２５】
上記底面５１には、第二受け部材５３の近傍位置において、概略Ｔ字状とされて底面５１から若干高くなった凸部６１が形成され、その下方には、縦長の長方形状とされて底面５１から若干高くなった凸部６３が形成されている。また底面５１には、第一受け部材５２の近傍位置において、概略Ｔ字状とされて底面５１から若干高くなった凸部６２が形成され、その下方には、縦長の長方形状とされて底面５１から若干高くなった凸部６４が形成されている。
【００２６】
また底面５１には、外部から駆動電流を受けるための配線が接続されるコネクタ７０および７１、外部から信号電流を受けるための配線が接続されるコネクタ７２および７３、取付器具５を壁面等に取り付けるための取付孔７４〜７７、一端が筐体１０側に固定される照明器具落下防止用紐（図示せず）の他端が取り付けられる紐取付部７８、取付器具５の上下取付方向を示す表示７９および８０、上述した配線を通すための配線通過孔８１等が設けられている。さらに底面５１には、照明器具１が取付器具５に取り付けられた際に、照明器具１が取り付け方向、つまり取付器具５との距離が変わる方向にガタ付くことを防止するための円柱状の突起８４が４個形成されている。
【００２７】
また底面５１には、照明器具１がその底面１１側から取付器具５に取り付けられた際に、該底面１１に形成されている前記受電端子１７および１９と各々接触する駆動電流給電端子８７および８９と、前記受電端子１８および２０と各々接触する信号電流給電端子８８および９０とが設けられている。なお給電端子８７、８８、８９および９０は、それぞれ受電端子との接触を確実にするために、図示外のバネ等の付勢手段により、外方つまり図５中で手前側に付勢されている。取付器具５の内部には、上記駆動電流や信号電流用の回路基板（図示せず）が収容されている。
【００２８】
以下、照明器具１を取付器具５に取り付ける操作について説明する。図１は照明器具１が取付器具５に取り付けられるときの状態を、（Ａ）、（Ｂ）と時間を追って示している。なおここでは、取付器具５を破断して示している。
【００２９】
まず同図（Ａ）に示すように、取付器具５の第二受け部材５３は、その操作部５３ｂを作業者が押し下げることにより、第二受面５３ａが斜め上方を向く状態にされ、その状態が維持される。なおこの状態は、作業者が操作部５３ｂを押し続けることにより維持されるようにしてもよいし、あるいは、例えば回動軸５９と第二受け部材５３との間に適当なフリクション機構を介在させることにより、作業者が操作部５３ｂから手を離しても小さな摩擦力により維持されるようにしてもよい。
【００３０】
次に照明器具１は、その一側面１２が第一受け部材５２の第一受面５２ａに接するように斜めにして取付部５０内に挿入され、そしてこの状態から、第一受け部材５２に当接する方向（図中の矢印Ｂ方向）に適宜長さ押し込まれる。このとき第一受け部材５２は、コイルバネ５８を圧縮しつつ凹部５７ａ内で移動して、後退する。
【００３１】
次いで照明器具１は、その他側面１３が取付部５０内に入る方向（図中の矢印Ｃ方向）に押し下げられる。すると、照明器具１の他側面１３が第二受け部材５３の第二受面５３ａに掛かって、この第二受け部材５３を回動軸５９の周りに図１中で反時計方向に回動させ、同図（Ｂ）に示す状態となって照明器具１が取付器具５に取り付けられる。この状態において照明器具１は、コイルバネ５８の付勢力により、第一受け部材５２と第二受け部材５３との間に弾力的に保持される。
【００３２】
なお、上述の通りにして照明器具１が取付器具５に取り付けられるとき、それら両者の相対位置が正しければ、取付器具５の底面５１に形成された凸部６１、６２は照明器具１の筐体１０に形成されている凹部４１、４２と組み合い、また凸部６３、６４は同じく筐体１０に形成されている凹部４３、４４と組み合うようになる（図４、５参照）。
【００３３】
取付器具５に対して照明器具１が不正な向きで取り付けられようとすると、上述の組み合いがなされず、筐体１０を所定位置まで押し下げることが不可能になるので、不正な向きで照明器具１が取り付けられることが防止される。そして凸部６１、６２、６３および６４が、それぞれ凹部４１、４２、４３および４４と組み合うと、照明器具１は上下左右方向（図２の矢印Ａ方向およびそれと直角な方向）に移動できなくなり、該照明器具１の位置が規定される。
【００３４】
また、照明器具１が正しい向きで取付器具５に取り付けられると、取付器具５の４つの突起８４がそれぞれ照明器具１の筐体１０の丸穴３７に入り込み、該丸穴３７内に配設されているコイルバネ３８を圧縮する。そこで筐体１０は取付器具５から離れる方向に軽く押され、一側面１２が第一受面５２ａの上を、そして他側面１３が第二受面５３ａの上を滑って僅かに移動し、それ以上移動し得ないところで筐体１０が静止してその状態が維持される。こうして、照明器具１が取り付け方向、つまり取付器具５との距離が変わる方向にガタ付くことが防止される。
【００３５】
なお、上記４つの突起８４の外径が、丸穴３７の内径より僅かに小さいだけの値に設定されている場合は、突起８４が上記凸部６１〜６４と同様に、筐体１０の上下左右方向位置を規定する位置規定部材としても作用するようになる。
【００３６】
また、照明器具１が正しい向きで取付器具５に取り付けられると、筐体１０の底面１１に形成されている受電端子１７および１９が各々取付器具５の駆動電流給電端子８７および８９と接触し、また、同じく底面１１に形成されている受電端子１８および２０が各々取付器具５の信号電流給電端子８８および９０と接触して、取付器具５から照明器具１に給電がなされ得る状態となる。なお前述した通り、給電端子８７、８８、８９および９０はそれぞれ外方に向けて付勢されているので、それぞれ受電端子１７、１８、１９および２０との接触が確実なものとなる。
【００３７】
照明器具１を取付器具５から取り外す際には、操作部５３ｂが押し下げられることにより、第二受け部材５３が図１中で時計方向に回動される。すると照明器具１および取付器具５は、図１の（Ｂ）の状態から（Ａ）の状態に変わり、照明器具１が他端面１３の側から跳ね上がって取付器具５から離脱するので、照明器具１を取付器具５から取り外すことができる。
【００３８】
なお、特に上側板５４および下側板５５が省かれるような場合は、上記操作部５３ｂを設けずに、照明器具１の上側面１４あるいは下側面１５の近傍部分を把持して持ち上げることにより、第二受け部材５３を図１中で時計方向に回動させつつ照明器具１を取り外すようにしてもよい。
【００３９】
また、照明器具１を取付器具５に取り付ける際に、第二受け部材５３を図１（Ａ）に示すように斜めにしておくことは必ずしも必要ではない。すなわち、第二受け部材５３を図１（Ｂ）に示す状態にしておいて照明器具１を第一受け部材５２の第一受面５２ａに強く押し当て、第一受け部材５２を十分な長さ後退させれば、他端面１３を第二受け部材５３と干渉させることなく、底面１１が底面５１に十分近接する位置まで照明器具１を押し下げることができる。そして、その状態になったところで照明器具１を第一受け部材５２側に押し込むのを止めれば、コイルバネ３８の付勢力により第一受け部材５２が照明器具１を第二受け部材５３側に押すので、それら両受け部材５２、５３の間に照明器具１が弾力的に保持されるようになる。
【００４０】
本実施形態において照明器具１の上下左右方向位置は、前述した通り照明器具１側の凹部４１、４２、４３および４４と、取付器具５側の凸部６１、６２、６３および６４との組合いによって規定される。すなわち、それらの凹部４１、４２、４３および４４、並びに凸部６１、６２、６３および６４が、照明器具１の位置を規定する位置規定部材を構成している。ただし照明器具１の位置は、その他の部材によって規定するようにしても構わない。照明器具１の位置を特に高精度に規定する必要が無い場合は、照明器具１を、第一受け部材５２と第二受け部材５３とにより挟んで保持するだけとしても構わない。
【００４１】
次に、本発明の別の実施形態について説明する。図８は本実施形態による照明器具の取付構造を示す側面図であり、図１と同様に、照明器具１が取付器具５に取り付けられるときの状態を、（Ａ）、（Ｂ）と時間を追って示している。なおここでも、取付器具５は破断して示している。またこの図８において、図１〜７中の要素と同等の要素には同番号を付してあり、それらについての説明は特に必要のない限り省略する（以下、同様）。
【００４２】
本実施形態の取付構造は図１に示した構造と比べると、第一受け部材および第二受け部材の受面の形状が異なるものである。すなわち本実施形態において、第一受け部材１５２の第一受面１５２ａは、その上端に近い部分および下端に近い部分が一部前方に張り出す形状とされて、それらが各々、照明器具１の一側面１２の前面１６に近い部分および底面１１に近い部分に接するように構成されている。第二受け部材１５３の第二受面１５３ａも、同じような形状とされている。
【００４３】
以上の通りに構成した本実施形態においても、図１に示した取付構造の場合と同様の操作により、照明器具１を取付器具５に取り付け、そして取り外すことが可能である。
【００４４】
次に、本発明のさらに別の実施形態について説明する。図９は本実施形態による照明器具の取付構造を示す側面図であり、図１と同様に、照明器具１が取付器具５に取り付けられるときの状態を、（Ａ）、（Ｂ）と時間を追って示している。なおここでも、取付器具５は破断して示している。
【００４５】
本実施形態の取付構造は図１に示した構造と比べると、第一受け部材および第二受け部材の受面の形状が異なると共に、照明器具１の筐体１０の形状が異なるものである。すなわち本実施形態において、照明器具１の筐体１０の一側面１２および他側面１３は、それぞれ底面１１および前面１６に対して直角な平面とされている。一方第一受け部材２５２の第一受面２５２ａおよび第二受け部材２５３の第二受面２５３ａは、その上端に近い部分および下端に近い部分が一部前方に張り出す形状とされている。
【００４６】
以上の通りに構成した本実施形態においても、図１に示した取付構造の場合と同様の操作により、照明器具１を取付器具５に取り付け、そして取り外すことが可能である。なお、このような構造においては、照明器具１を取付器具５に取り付ける際の両者の組み合いをより円滑にするために、上記第一受面２５２ａおよび第二受面２５３ａの表面を、弾性変形可能な材料で構成してもよい。
【００４７】
なお、以上説明した各実施形態では、照明器具１が水平な状態で取付器具５に取り付けられるようにしているが、上に説明した通りの各構造をそのまま用いて、照明器具１を垂直に立てた状態で取付器具５に取り付けることも可能である。また、照明器具１を水平な状態で取付器具５に取り付ける場合、上記実施形態とは反対に、取付器具５を例えば天井に固定する等により、照明器具１の前面１６つまり光を取り出す面が下向きとなるように構成することも可能である。
【００４８】
また筐体の形状も特に薄い直方体状に限られるものではなく、その他の形状に形成された筐体を取付器具に取り付ける構造に対しても本発明は適用可能である。
【００４９】
さらに本発明による照明器具の取付構造は、複数の取付器具を１次元あるいは２次元方向に並べて配設し、それぞれの取付器具に照明器具を取り付けるように構成することも可能である。
【符号の説明】
【００５０】
１    照明器具
５    取付器具
１０    筐体（基体）
１１    筐体の底面
１２    筐体の一側面
１３    筐体の他側面
１６    筐体の前面
２０    発光体
４１〜４４  筐体の凹部
５０    取付器具の取付部
５１    取付器具の底面
５２、１５２、２５２    第一受け部材
５２ａ、１５２ａ、２５２ａ  第一受面
５３、１５３、２５３    第二受け部材
５３ａ、１５３ａ、２５３ａ  第二受面
５７    受け部材保持部
５８    コイルバネ
５９    回動軸
６１〜６４  取付器具の凸部
８７〜９０  給電端子
８４    突起
【図１】
2015005419.tif 000003
【図２】
2015005419.tif 000004
【図３】
2015005419.tif 000005
【図４】
2015005419.tif 000006
【図５】
2015005419.tif 000007
【図６】
2015005419.tif 000008
【図７】
2015005419.tif 000009
【図８】
2015005419.tif 000010
【図９】
2015005419.tif 000011